(57)【要約】【課題】外装の金属缶に内容物を収納したまま入れて、開口部が狭くなったり閉じてしまったりすることなく、開口部が広げられたままになって、使い勝手がよい取り替え用袋を提供する。【解決手段】外装の金属製容器に内容物を収納したまま挿入して用いる取り替え用袋１００であって、天シール部３と対向する２つのサイドシール部４ａ、４ｂを有し、前記天シール部を取り去るように切り取る為の切り取り予定線８の下側の近傍で、且つ、袋の表フィルム１および裏フィルム２の外面に磁石シート９が取り付けられている。【選択図】図１
2015020779.tif 000002
【特許請求の範囲】
【請求項１】
外装の金属製容器に内容物を収納したまま挿入して用いる取り替え用袋であって、天シール部と対向する２つのサイドシール部を有し、前記天シール部を取り去るように切り取る為の切り取り予定線の下側の近傍で、且つ、袋の表フィルムおよび裏フィルムの外面に磁石シートが取り付けられていることを特徴とする取り替え用袋。
【請求項２】
前記磁石シートが、前記２つのサイドシール部の間の距離と略同等の長さで、前記２つのサイドシール部の間に設けられていることを特徴とする請求項1に記載の取り替え用袋。
【請求項３】
前記磁石シートが、前記表フィルムでは一方のサイドシール部と、該一方のサイドシール部から他方のサイドシール部に向けて設けられ、その端部が、他方のサイドシール部の幅と略同じ距離だけ他方のサイドシール部から離れた位置まで設けられ、前記裏フィルムでは他方のサイドシール部と、該他方のサイドシール部から一方のサイドシール部に向けて設けられ、その端部が、一方のサイドシール部の幅と略同じ距離だけ一方のサイドシール部から離れた位置まで設けられていることを特徴とする請求項1に記載の取り替え用袋。
【請求項４】
前記表フィルムと前記裏フィルムの間の下端部分に、二つ折りした底テープが折り部を上にして挿入され、ガゼットを形成して船底型にシールされ、スタンディングパウチ形状になっていることを特徴とする請求項１から３のいずれか１項に記載の取り替え用袋。
【発明の詳細な説明】
【技術分野】
【０００１】
本発明は、取り替え用袋に関するものである。特に外装の金属製容器に内容物を収納したまま挿入して用いる取り替え用袋に関するものである。
【背景技術】
【０００２】
粉ミルクなどは、金属缶に包装され、その開口部から専用の計量スプーンですくい出して用いられるのが一般的である。そのため、金属缶の胴部は円柱状になっていて、開口部も略同一の円形になっている。そして、開口部と一体となって密封していて、プルリングなどで開封する中蓋と、中蓋を取り去った後でも開口部を覆って再封できる外蓋とが設けられている。
【０００３】
このような金属缶は、内容物を直接スプーンなどですくい出すのに、形が変形せず、開口部も広くなっているので、使い勝手がよく広く用いられている。ところが、内容物を使い切った後では、場所をとってしまって、邪魔になってしまう。
【０００４】
特に乳児用の粉ミルクなどでは、内容物の消費速度が速く、うっかり空の金属缶を捨て忘れると大量の空き缶が溜まってしまって、置き場に困ることがある。
【０００５】
液体のシャンプーやリンスなどのトイレタリー製品では、このような使い勝手の良い空き容器を繰り返し使用するために、詰め替え用の袋が色々と用いられている。また、粉体や顆粒のインスタントコーヒーでも詰め替え用の容器が使用され、また、各種検討されている（特許文献１など）。
【０００６】
しかし、内容物だけ詰め替える場合は、繰り返し使用する容器に微量の内容物が付着して残ってしまう。トイレタリー製品やインスタントコーヒーでは問題にならないが、乳児用の粉ミルクなどでは、吸湿性が高く、また、カビや細菌が繁殖する恐れがあり、そのまま内容物を継ぎ足すことには抵抗がある。
【０００７】
そのため、内容物を袋ごと外装の金属缶などの容器に入れて、使うことが考えられるが、この場合では、袋の開口部が狭くなったり閉じてしまったりすることが考えられ、金属缶の開口部が広くなっていて使い勝手が良いというメリットがなくなってしまう。
【０００８】
一方、外装容器の再利用とは関係ないが、袋の出入り口を再封するために、袋の出入り口に磁性体を付けた袋がある。この袋は表裏のフィルムの出入り口の内面に磁性体を付着させ、磁性体部分を合わせるだけで、出入り口の封をしようとするものである（特許文献２）。
【０００９】
また、袋に磁性体を取り付けたものとしては、２枚のプラスチックフィルムを重合し、その周辺及び低部のガゼット部を溶着して作った自立性流体包装袋において、その下辺溶着部先端に連続して、平面状又は立体状の袋自立機能増強部材が設けられ、袋自立機能増強部材の床に接する面に、磁性層が設けられている安定自立流体包装袋がある（特許文献３）。
【００１０】
公知文献を以下に示す。
【先行技術文献】
【特許文献】
【００１１】
【特許文献１】特開２０１０−５８８３２号公報
【特許文献２】特開昭５８−１９３２５９号公報
【特許文献３】特開２００２−２４９１４８号公報
【発明の概要】
【発明が解決しようとする課題】
【００１２】
本発明は上記のような事情に鑑みてなされたもので、外装の金属缶に内容物を収納したまま入れて、開口部が狭くなったり閉じてしまったりすることなく、開口部が広げられたままになって、使い勝手がよい取り替え用袋を提供することを課題とする。
【課題を解決するための手段】
【００１３】
本発明は係る課題に鑑みなされたものであり、請求項１の発明は、外装の金属製容器に内容物を収納したまま挿入して用いる取り替え用袋であって、天シール部と対向する２つのサイドシール部を有し、前記天シール部を取り去るように切り取る為の切り取り予定線の下側の近傍で、且つ、袋の表フィルムおよび裏フィルムの外面に磁石シートが取り付けられていることを特徴とする取り替え用袋である。
【００１４】
本発明の請求項２の発明は、前記磁石シートが、前記２つのサイドシール部の間の距離と略同等の長さで、前記２つのサイドシール部の間に設けられていることを特徴とする請求項1に記載の取り替え用袋である。
【００１５】
本発明の請求項３の発明は、前記磁石シートが、前記表フィルムでは一方のサイドシール部と、該一方のサイドシール部から他方のサイドシール部に向けて設けられ、その端部が、他方のサイドシール部の幅と略同じ距離だけ他方のサイドシール部から離れた位置まで設けられ、前記裏フィルムでは他方のサイドシール部と、該他方のサイドシール部から一方のサイドシール部に向けて設けられ、その端部が、一方のサイドシール部の幅と略同じ距離だけ一方のサイドシール部から離れた位置まで設けられていることを特徴とする請求項1に記載の取り替え用袋である。
【００１６】
本発明の請求項４の発明は、前記表フィルムと前記裏フィルムの間の下端部分に、二つ折りした底テープが折り部を上にして挿入され、ガゼットを形成して船底型にシールされ、スタンディングパウチ形状になっていることを特徴とする請求項１から３のいずれか１項に記載の取り替え用袋である。
【発明の効果】
【００１７】
本発明の取り替え用袋は、外装の金属製容器に内容物を収納したまま入れて、磁石シートによって、金属製容器の口の内面に、袋の開口部を開いた状態で取り付けることができるので、袋の開口部が狭くなったり閉じてしまったりすることなく、開口部が広げられたままになって、使い勝手がよい。
【００１８】
また、請求項２や請求項３に記載の発明によれば、外装の金属製容器の口の内面に沿って隙間なく取り付けることができ、袋の開口部が狭くなったり閉じてしまったりすることなく、袋の開口部を開いた状態で維持され、金属製容器の口と袋の開口部の間に内容物が入りにくく、使い勝手がよい。
【００１９】
更に、請求項４に記載の発明によれば、スタンディングパウチ形状になっているので、金属製容器の底に、取り替え用袋が収まりやすく、また、これによって、取り替え用袋の開口部を金属製容器の上端部分の内面に密着させるときにシワを発生させることなく容易に行うことができる。
【図面の簡単な説明】
【００２０】
【図１】（Ａ）本発明の取り替え用袋の第１の実施形態を模式的に斜視で示した説明図である。（Ｂ）本発明の取り替え用袋の第１の実施形態の磁石シートの位置関係を説明する上から見た模式図である。
【図２】本発明の取り替え用袋の第１の実施形態に用いる外装の金属製容器を模式的に斜視で示した説明図である。
【図３】本発明の取り替え用袋の第１の実施形態を開封して金属製容器の中に挿入した状態を模式的に示す断面透視図である。
【図４】本発明の取り替え用袋の第１の実施形態を開封して金属製容器の中に挿入した状態を上から見た上体を上から見た説明図である。
【図５】（Ａ）本発明の取り替え用袋の第２の実施形態を模式的に斜視で示した説明図である。（Ｂ）本発明の取り替え用袋の第２の実施形態の磁石シートの位置関係を説明する上から見た模式図である。
【図６】本発明の取り替え用袋の第２の実施形態を開封して金属製容器の中に挿入した状態を上から見た上体を上から見た説明図である。
【発明を実施するための形態】
【００２１】
＜第１の実施形態＞
以下、本発明を実施するための第１の実施形態につき説明する。
図１（Ａ）は、本発明の取り替え用袋の第１の実施形態を模式的に斜視で示した説明図である。（Ｂ）は、本発明の取り替え用袋の第１の実施形態の磁石シートの位置関係を説明する上から見た模式図である。
【００２２】
第１の実施形態の取り替え用袋１００は、図１（Ａ）、（Ｂ）のように、表フィルム１と裏フィルム２が重ね合わされて、天シール部３と左右のサイドシール部４ａ、４ｂと底シール部５が設けられている。
【００２３】
底シール部５は、底部の表フィルム１と裏フィルム２の間に、二つ折りした底テープ６が折り部を上にして挿入され、ガゼットを形成して、船底型にシールしたスタンディングパウチ形状になっている。そして、左右のサイドシール部４ａ、４ｂの天シール部２の近傍には、ノッチ７、７が設けられていて、開封予定線８に沿って引き裂いて開封するようになっている。
【００２４】
開封予定線８の下側の近傍で、袋の外面には、磁石シート９が、表フィルム１と裏フィルム２にそれぞれに設けられている。磁石シート９は、左右２つのサイドシール部４ａ、４ｂの間の距離と略同等の長さで、２つのサイドシール部４ａ、４ｂの間に設けられている。
【００２５】
図２は、本発明の取り替え用袋の第１の実施形態に用いる外装の金属製容器を模式的に斜視で示した説明図、図３は、本発明の取り替え用袋の第１の実施形態を開封して金属製容器の中に挿入した状態を模式的に示す断面透視図である。
【００２６】
本形態の取り替え用袋１００は、図２のような、金属製容器２００の中に挿入されて、内容物を少量ずつ繰り返し取り出されて使用される。
【００２７】
金属製容器２００は、容器本体２０１と蓋２０２とからなっている。図３のように、容器本体２０１は金属缶であり、常磁性のある金属から出来ていて、丸筒状の胴部材２１の下端部に底板２２が巻き締めにより取り付けられている。
【００２８】
丸筒状の胴部材２１の上端部は外側にカールされて巻き締められ、リング状に外側に盛
り上がったリング状突起２３を形成している。そして、蓋２０２は容器本体２０１の外側に盛り上がったリング状突起２３に嵌合するように被せられるように形成されている。本実施形態では蓋２０２はプラスチック製の成形品である。
【００２９】
この容器本体２０１の中に、内容物が収納されている取り替え用袋１００を挿入して、ノッチ７から開封予定線８に沿って引き裂いて開封する。そして、磁石シート９、９で表フィルム１と裏フィルム２をそれぞれ、容器本体２０１の内面の上端部分に取り付ける。
【００３０】
磁石シート９、９は、磁石の性質を持った、主材料がゴムあるいは軟質プラスチックなどからなる柔軟なシートであって、金属缶の容器本体２０１は、鉄などの常磁性のある金属からなっている。このため、容器本体２０１に磁石シート９、９を磁石の性質によって取り付けることができる。
【００３１】
表フィルム１、裏フィルム２、および、底テープ６には、基材層とシーラント層が積層された積層フィルムを用いる。基材層としては、ナイロン、ポリエチレンテレフタレート、ポリプロピレンなどの２軸延伸、あるいは、１軸延伸のプラスチックフィルムが好ましく使用できる。その厚さは好ましくは、７〜２５μｍである。
【００３２】
シーラント層には、ポリプロピレンや、低密度ポリエチレン、直鎖状低密度ポリエチレン、あるいは、酸変性ポリエチレンなどの熱溶融性樹脂を用いることができる。シーラント層の厚さは、内容物の量によって、調整されるものであるが、５０から２５０μｍが好ましく使用できる。
【００３３】
基材層とシーラント層の間に中間層を設けても良い。中間層としては、ナイロン、ポリエチレンテレフタレート、ポリプロピレンなどの２軸延伸、１軸延伸、あるいは、未延伸のプラスチックフィルムを用いることができる。
【００３４】
また、バリア性を向上させるために、蒸着フィルムを中間層に用いてもよい。蒸着フィルムの蒸着層としては、アルミニウムなどの金属を用いても良く、透明性のある無機酸化物を用いた蒸着フィルムを用いてもよい。
【００３５】
無機酸化物としては、アルミナやシリカが好ましく用いられる。蒸着フィルムの蒸着基材フィルムとしては、ナイロン、ポリエチレンテレフタレート、ポリプロピレンなどの２軸延伸、１軸延伸のフィルムが用いられる。
【００３６】
これらの基材層、中間層、シーラント層を積層する方法は、ドライラミネートや押出しラミネートなどの方法で行うことができる。また、基材層に絵柄印刷層を設けることができる。印刷方式は、特に限定するものではないが、通常、グラビア印刷、あるいは、フレキソ印刷が用いられる。
【００３７】
図４は、本発明の取り替え用袋の第１の実施形態を開封して金属缶の中に挿入した状態を上から見た上体を上から見た説明図である。
【００３８】
図４のように、取り替え用袋１００は、金属缶の容器本体２０１の内面に磁石シート９、９により密着するが、サイドシール部４ａ、４ｂには、磁石シート９、９が設けられておらず、２つのサイドシール部４ａ、４ｂの間に設けられているので、サイドシール部４ａ、４ｂにおいては、サイドシール部４ａ、４ｂの際で折り曲げられた表フィルム１あるいは裏フィルム２に取り付けられた磁石シート９によって、サイドシール部４ａ、４ｂが容器本体２０１に押えられる。
【００３９】
このようになっているので、取り替え用袋１００の開口部は、金属缶の容器本体２０１の内面に密着してほとんど隙間ができることがなく、袋の開口部が狭くなったり閉じてしまったりすることなく、開口部が広げられたままになって、内容物を取り出すときに使い勝手がよい。
【００４０】
また、取り替え用袋１００は、スタンディングパウチになっているので、底テープの折径を金属缶の円形の底の半径より、十分に長くして、容器本体の内面に密着できるほどにしておけば、金属缶２００の容器本体２０１の底に収まりやすい。そのため、取り替え用袋１００上端部の開口部を金属缶の容器本体２０１の内面に密着させるときにシワを発生させることなく容易にできる。
【００４１】
＜第２の実施形態＞
以下本発明を実施するための第２の実施形態について説明する。
図５（Ａ）は、本発明の取り替え用袋の第２の実施形態を模式的に斜視で示した説明図である。（Ｂ）は、本発明の取り替え用袋の第２の実施形態の磁石シートの位置関係を説明する上から見た模式図である。
【００４２】
第２の実施形態の取り替え用袋３００は、図５（Ａ）、（Ｂ）のように、取り替え用袋１００と同様、表フィルム１と裏フィルム２が重ね合わされて、天シール部３と左右のサイドシール部４ａ、４ｂと底シール部５が設けられている。
【００４３】
底シール部５は、底部の表フィルム１と裏フィルム２の間に、二つ折りした底テープ６が折り部を上にして挿入され、ガゼットを形成して、船底型にシールしたスタンディングパウチ形状になっている。
【００４４】
そして、左右のサイドシール部４ａ、４ｂの天シール部２の近傍には、ノッチ７、７が設けられていて、開封予定線８に沿って引き裂いて開封するようになっている。開封予定線８の下側の近傍で、表フィルム１と裏フィルム２のそれぞれの外面には、磁石シート９が設けられている。
【００４５】
磁石シート９は、表フィルム１では一方のサイドシール部４ａと、このサイドシール部４ａから他方のサイドシール部４ｂに向けて設けられ、その端部が、サイドシール部４ｂの幅と略同じ距離だけサイドシール部４ｂから離れた位置まで設けられている。
【００４６】
また、裏フィルム２では他方のサイドシール部４ｂと、サイドシール部４ｂから一方のサイドシール部４ａに向けて設けられ、その端部が、サイドシール部４ａの幅と略同じ距離だけサイドシール部４ａから離れた位置まで設けられている。
【００４７】
本形態の取り替え用袋３００は、第１の実施形態の取り替え用袋１００と同様に、図２の金属製容器２００の中に挿入されて、内容物を少量ずつ繰り返し取り出されて使用される。
【００４８】
金属製容器２００は金属缶の容器本体２０１と蓋２０２とからなっている。この容器本体２０１の中に、内容物が収納されている取り替え用袋３００を、図３の取り替え用袋１００の代わりに挿入して、ノッチ８から開封予定線８に沿って引き裂いて開封する。そして、磁石シート９、９で表フィルム１と裏フィルム２をそれぞれ、容器本体２０１の内面の上端部分に取り付ける。
【００４９】
磁石シート９、９、容器本体２０１、蓋２０２の材質は、第１の実施形態と同様である。また、表フィルム１、裏フィルム２、および、底テープ６に用いる積層フィルムも第１の実施形態と同様である。
【００５０】
図６は、本発明の取り替え用袋の第２の実施形態を開封して金属製容器の中に挿入した状態を上から見た上体を上から見た説明図である。
【００５１】
図６のように、取り替え用袋３００は、金属製容器２００の金属缶の容器本体２０１の内面に磁石シート９、９により密着するが、磁石シート９は、表フィルム１ではサイドシール部４ａと、このサイドシール部４ａから他方のサイドシール部４ｂに向けて設けられ、その端部が、サイドシール部４ｂの幅と略同じ距離だけサイドシール部４ｂから離れた位置まで設けられている。
【００５２】
このため、表フィルム１側のサイドシール部４ａの面は、磁石シート９により容器本体２０１の内面に密着し、また、表フィルム１の外面も、サイドシール部４ｂと重なる手前まで、容器本体２０１の内面に密着する。
【００５３】
また、裏フィルム２側のサイドシール部４ｂの面は、磁石シート９により容器本体２０１の内面に密着し、また、裏フィルム２の外面も、サイドシール部４ａと重なる手前まで、容器本体２０１の内面に密着する。
【００５４】
このようになっているので、表フィルム１や裏フィルム２の磁石シート９が設けられていない部分も、その左右が容器本体２０１の内面に密着しているので、ほぼ容器本体２０１の内面に密着する。そのため、取り替え用袋３００の開口部の全周囲が、ほぼ容器本体２０１の内面に密着する。
【００５５】
このようになっているので、取り替え用袋３００の開口部は、金属缶の容器本体２０１の内面に密着してほとんど隙間ができることがなく、袋の開口部が狭くなったり閉じてしまったりすることなく、開口部が広げられたままになって、内容物を取り出すときに使い勝手がよい。
【００５６】
また、取り替え用袋３００は、スタンディングパウチになっているので、底テープの折径を金属缶の円形の底の半径より、十分に長くして、容器本体の内面に密着できるほどにしておけば、金属缶２００の容器本体２０１の底に収まりやすい。そのため、取り替え用袋１００上端部の開口部を金属缶の容器本体２０１の内面に密着させるときにシワを発生させることなく容易にできる。
【符号の説明】
【００５７】
１００、３００・・・取り替え用袋
１・・・表フィルム
２・・・裏フィルム
３・・・天シール部
４ａ、４ｂ・・・サイドシール部
５・・・底シール部
６・・・底テープ
７、７・・・ノッチ
８・・・開封予定線
９・・・磁石シート
２００・・・金属製容器
２０１・・・容器本体
２０２・・・蓋
２１・・・胴部材
２２・・・底板
２３・・・リング状突起
【図１】
2015020779.tif 000003
【図２】
2015020779.tif 000004
【図３】
2015020779.tif 000005
【図４】
2015020779.tif 000006
【図５】
2015020779.tif 000007
【図６】
2015020779.tif 000008